(57)【要約】【課題】１対Ｎの無線通信方式を備えるシステムにおいて、第２の通信機の消費電力を抑える通信手段を持つ無線通信システムを提供することを目的とする。【解決手段】第１の通信機１００は、１対Ｎ通信を開始する場合、制御データを用いて１対Ｎ通信開始・停止を通知することで、第２の通信機２００、２１０が無線電波中のユーザデータ領域の受信開始・停止を制御する。すなわち、第１の通信機１００から１対Ｎ通信を開始する通知を受けてから、第２の通信機はユーザデータ領域の受信を行う。【選択図】図１
2006121279.tif 000002
【特許請求の範囲】
【請求項１】
第１の通信機と第２の通信機から成り、第１の通信機から複数の第２の通信機に対して１対Ｎ通信を行うことが可能な無線通信システムであって、
第１の通信機は一定間隔で制御信号を送信し、
複数の第２の通信機それぞれ定められたタイミングで間欠的に受信動作を行ない、
間欠受信状態では各第２の通信機は１回の受信タイミングで第１の通信機からの制御データのみを受信し、
第１の通信機が１対Ｎ通信開始を第２の通信機に通知することにより、各第２の通信機は第１の通信機から送られる制御信号の後ろに付加されるユーザデータ領域のデータを受信することを特徴とする無線通信システム。
【請求項２】
間欠的に受信動作状態では、第２の通信機は１回の受信タイミングで第１の通信機からの制御データを受信して直ぐに受信動作を止めて休止状態となり、
第２の通信機は１対Ｎ通信開始の通知を受信して以降は第１の通信機から送られる制御信号の後ろに付加されるユーザデータ領域のデータを受信するまで受信動作を続けることを特徴とする請求項１記載の無線通信システム。
【請求項３】
第１の通信機と第２の通信機から成り、第１の通信機から複数の第２の通信機に対して１対Ｎ通信を行うことが可能な無線通信システムであって、
第１の通信機は一定間隔で制御信号を送信し、
複数の第２の通信機それぞれ定められたタイミングで間欠的に受信動作を行ない、
間欠受信状態では各第２の通信機は１回の受信タイミングで第１の通信機からの制御データを受信して直ぐに受信動作を止めて休止状態となり、
第１の通信機が１対Ｎ通信開始を第２の通信機に通知することにより、各第２の通信機は１対Ｎ通信開始の通知を受信して以降は第１の通信機から送られる制御信号の後ろに付加されるユーザデータ領域のデータを受信するまで受信動作を続ける無線通信システム。
【請求項４】
第１の通信機と第２の通信機から成り、第１の通信機から複数の第２の通信機に対して１対Ｎ通信を行うことが可能な無線通信システムであって、
前記第１の通信機は、第１の無線部と、第１のフレーム処理部と、制御データ送信部と、第１のアプリケーション部とを備え、
第１のアプリケーション部から１対Ｎ通信開始要求を受けた制御データ送信部は１対Ｎ通信開始の情報を載せたページング情報を無線電波フレーム内の制御データ領域に設定・送信するよう第１のフレーム処理部に要求し、第１のフレーム処理部はページング情報の送信タイミングで要求されたページング情報を制御データ領域に設定し、第１の無線部を起動して該ページング情報を第２の通信機に送信し、
１対Ｎ通信開始要求が発せられた以降、第１のフレーム処理部はフレーム内のユーザデータ領域にユーザデータを設定し、そのユーザデータは第１の無線部を介して送信され、
前記第２の通信機は、第２の無線部と、第２のフレーム処理部と、第２のアプリケーション部とを備え、
第２のフレーム処理部は、待ち受け中は第２の無線部に制御データ領域を受信し、
第２の無線部は制御データ領域を受信して直ぐに受信動作を止めて休止状態となり、
第１の通信機から１対Ｎ通信開始の情報が付加されたページング情報を受信すると第２のアプリケーション部に１対Ｎ通信開始が伝えられるとともに、それ以降は第２のフレーム処理部はユーザデータ領域が受信できるまで受信動作を続けるよう第２の無線部を制御することを特徴とする無線通信システム。
【発明の詳細な説明】
【技術分野】
【０００１】
本発明は、無線通信を用い、画像等の通信データを複数の第２の通信機に表示する無線通信システムに関するものである。
【背景技術】
【０００２】
一般的なデジタル無線通信システムにおいては、１つの第１の通信機と１つ以上の第２の通信機があり、第２の通信機は待機中に第１の通信機が送信する無線電波を受信するシステムとなっている。このようなシステムの中でも、第２の通信機が電池で動作する機器は待機中の消費電力を抑えることが待ち受け時間の延長につながるため、例えば特許文献１（特開平１１−３４１５３８）に見られるように、プリアンブルパターンが検出できない場合、受信を停止し、受信部のオン時間を短縮する構成のものが開示されている。
【特許文献１】特開平１１−３４１５３８号公報
【発明の開示】
【発明が解決しようとする課題】
【０００３】
今回解決しようとする問題は、第１の通信機が、第２の通信機が受信している無線電波にユーザデータ領域を載せて複数の第２の通信機に同時にユーザデータ領域を送る通信（以後、１対Ｎ通信と記す）方式を行う場合、第２の通信機が常に第１の通信機が送信している無線電波中のユーザデータ領域が設定される領域を受信しなければならず、１対Ｎ通信を行わないシステムに比べ、電力が消費され、待ち受け時間が短いという点である。
【課題を解決するための手段】
【０００４】
本発明は、第２の通信機は第１の通信機が１対Ｎ通信を行う場合のみ、第１の通信機が送信している無線電波中のユーザデータ領域を受信するよう制御することを主要な特徴とする。
【発明の効果】
【０００５】
本発明は、１対Ｎ通信が可能であり、かつ第２の通信機が１対Ｎ通信を行わないシステムと同等の待ち受け時間を持つ無線通信システムを提供できるという利点がある。
【発明を実施するための最良の形態】
【０００６】
本発明は、１対Ｎ通信が可能であり、かつ第２の通信機が１対Ｎ通信を行わないシステムと同等の待ち受け時間を持つようにした無線通信システムを提供することを目的とし、第２の通信機は第１の通信機が１対Ｎ通信を行う場合のみ、第１の通信機が送信している無線電波中のユーザデータ領域を受信するよう制御することにより実現した。
【０００７】
上記課題を解決するためになされた本発明は、第１の通信機は一定間隔で制御信号を送信し、複数の第２の通信機それぞれ定められたタイミングで間欠的に受信動作を行ない、間欠受信状態では各第２の通信機は１回の受信タイミングで第１の通信機からの制御データのみを受信し、第１の通信機が１対Ｎ通信開始を第２の通信機に通知することにより各第２の通信機は第１の通信機から送られる制御信号の後ろに付加されるユーザデータ領域のデータを受信する無線通信システムを提供できる。
【０００８】
（実施の形態１）
以下、本発明の実施の形態１について、各図に基づいて説明する。図１は実施の形態１の本発明を利用して１対Ｎ通信を行う無線通信システムの構成図であり、図１において、１００は第１の通信機、２００及び２１０は第２の通信機を示す。
【０００９】
第１の通信機１００において、１０１はアンテナ、１０２は無線部、１０３はフレーム処理部、１０４は制御データ送信部、１０５はユーザデータ送信部、１０６はアプリケーション部を示す。また第２の通信機２００において、２０１はアンテナ、２０２は無線部、２０３はフレーム処理部、２０４は制御データ受信部、２０５はユーザデータ受信部、２０６はアプリケーション部を示す。第２の通信機２１０は第２の通信機２００と同様の構成とする。
【００１０】
図２は、本発明の実施の形態１における無線電波のフレームフォーマット図を示す。３００はデータ部分の先頭にあたり固定のビット列からなる同期信号である。同期信号３００の後にデータ部分が続く。データ部分において、３０１は第１の通信機を識別するＩＤ情報やシステム情報、ページング情報や上位レイヤ間でのメッセージデータの送受信に使用する制御データ領域（いわゆるＡフィールド）である。３０２は音声通話時の音声データや画像通信時の画像データを伝送するユーザデータ領域（いわゆるＢフィールド）である。３０３は制御データ領域３０１（Ａフィールド）やユーザデータ領域３０２（Ｂフィールド）の種別を伝送するヘッダである。３０４はヘッダ３０３と制御データ領域３０１のエラー検知のためのＣＲＣとなるＣ−ＣＲＣ、３０５はユーザデータ領域３０２のエラー検知のためのＣＲＣとなるＵ−ＣＲＣである。なお、フレームフォーマットは、上り（第２の通信機から第１の通信機）、下り（第１の通信機から第２の通信機）とも同じフォーマットである。
【００１１】
次に、動作シーケンスを参照しながら、動作の概要を説明する。第１の通信機１００が１対Ｎのデータ通信を開始しようとした場合のシーケンス図を図３に示す。まずアプリケーション部１０６から制御データ送信部１０４に対して１対Ｎ通信開始を通知する。前記１対Ｎ通信開始を受けた制御データ送信部１０４は１対Ｎ通信開始の情報を載せたページング情報を、無線電波フレーム内の制御データ領域３０１に設定・送信するよう、フレーム処理部１０３にページング情報送信要求を送る。
【００１２】
前記ページング情報送信要求を受けたフレーム処理部１０３は、ページング情報の送信タイミングで要求されたページング情報を制御データ領域３０１に設定すると共に、Ｃ−ＣＲＣ３０４を設定して、無線部１０２、アンテナ１０１を介して１対Ｎ通信開始の情報が付加されたページング情報が第２の通信機に伝えられる。
【００１３】
フレーム処理部１０３においてページング情報の送信が完了すると、フレーム処理部１０３は制御データ送信部１０４にページング情報送信確認を送る。前記ページング情報送信確認を受けた制御データ送信部１０４は１対Ｎ通信開始確認をアプリケーション部１０６に通知する。
【００１４】
前記１対Ｎ通信開始確認を受けたアプリケーション部１０６は、ユーザデータ送信部１０５に対して、１対Ｎ通信で送信するデータを１対Ｎデータ送信要求として送る。前記１対Ｎデータ送信要求を受けたユーザデータ送信部１０５は、ユーザデータ領域３０２のデータ長に合わせてデータを分割し、分割したユーザデータ領域を順番にフレーム処理部１０３に対して設定するよう要求する。
【００１５】
それ以降、前記要求を受けたフレーム処理部１０３はフレーム内のユーザデータ領域３０２にデータ（画像，音声）を設定すると共にＵ−ＣＲＣ３０５を設定し、このようにフレーム内のユーザデータ領域にセットされたユーザデータ（画像，音声）は、無線部１０２，アンテナ２０１を介して１対Ｎデータが送信される。
【００１６】
一方、第２の通信機２００のフレーム処理部２０３は、待ち受け中は無線部２０２に対
して、制御データ領域３０１（Ａフィールド）、及びＣ−ＣＲＣ３０４の領域までを受信し、それらデータを受信して直ぐに受信動作を止めて休止状態となるよう制御し、ＣＲＣエラーがなく受信した制御データを制御データ受信部２０４を介してアプリケーション部２０６に通知している。このとき、第１の通信機１００から１対Ｎ通信開始の情報が付加されたページング情報を受信すると、制御データ受信部２０４を介してアプリケーション部２０６に１対Ｎ通信開始が伝えられる。
【００１７】
前記１対Ｎ通信開始を受けたアプリケーション部２０６は、それ以降は１対Ｎ受信を開始するため、１対Ｎ受信開始要求をユーザデータ受信部２０５に送信する。前記要求を受けたユーザデータ受信部２０５は、フレーム処理部２０３に対してユーザデータ領域３０２（Ｂフィールド）、及びＵ−ＣＲＣ３０５の受信を開始するよう、ユーザデータ領域受信開始要求を送る。前記要求を受けたフレーム処理部２０３はユーザデータ領域３０２、及びＵ−ＣＲＣ３０５まで受信するよう無線部２０２を制御し、受信したデータをＣＲＣエラーがないか確認し、エラーがない場合、ユーザデータ受信部２０５に送る。ユーザデータ受信部２０５は受信したデータが分割されていれば、データを結合し、アプリケーション部２０６に送る。
【００１８】
次に１対Ｎ通信を停止したい場合のシーケンス図を図４に示す。まず、第１の通信機１００のアプリケーション部１０６から制御データ送信部１０４に対して１対Ｎ通信停止を通知する。前記１対Ｎ通信停止を受けた制御データ送信部１０４は１対Ｎ通信停止の情報を載せたページング情報を制御データ領域３０１に設定・送信するよう、フレーム処理部１０３にページング情報送信要求を送る。
【００１９】
前記ページング情報送信要求を受けたフレーム処理部１０３は、ページング情報の送信タイミングで要求されたページング情報を制御データ領域３０１に設定すると共に、Ｃ−ＣＲＣ３０４を設定して、無線部１０２、アンテナ１０１を介して１対Ｎ通信停止の情報が付加されたページング情報が第２の通信機２００に伝えられる。第２の通信機２００のフレーム処理部２０３は前記ページング情報をアンテナ２０１、無線部２０２を介して受信し、制御データ受信部２０４を介してアプリケーション部２０６に１対Ｎ通信停止が伝えられる。
【００２０】
前記１対Ｎ通信停止を受けたアプリケーション部２０６は、１対Ｎ受信を停止する、１対Ｎ受信停止要求をユーザデータ受信部２０５に送信する。前記要求を受けたユーザデータ受信部２０５は、フレーム処理部２０３に対してユーザデータ領域３０２、及びＵ−ＣＲＣ３０５の受信を停止するよう、ユーザデータ領域受信停止要求を送る。前記要求を受けたフレーム処理部２０３はユーザデータ領域３０２及びＵ−ＣＲＣ３０５の受信を停止し、制御データ領域３０１、及びＣ−ＣＲＣ３０４までの受信とするよう無線部を制御する。
【００２１】
以上の制御により、第２の通信機２００は第１の通信機１００から１対Ｎ通信が起動されている間のみ、ユーザデータ領域（Ｂフィールド）３０２、及びＵ−ＣＲＣ３０５を受信し、ユーザデータ領域が第１の通信機１００から第２の通信機２００に送られる。また、第２の通信機２１０も第２の通信機２００と同様の動作が行われ、第１の通信機１００と第２の通信機２００、及び２１０の間で１対Ｎのデータ通信が行われる。
【００２２】
また、音声を１対Ｎ通信で通知したい場合も、ユーザデータ領域（Ｂフィールド）に音声情報が載るため、データ通信と同様の仕組みで、第１の通信機が音声を送っている間のみ、第２の通信機がユーザデータ領域にある音声情報を受信し、再生することが可能である。
【００２３】
次に、本発明をコードレス電話機をベースにした構内ドアホンシステムに適用した場合について説明する。
【００２４】
最近、ＴＤＭＡ方式の無線ネットワークによるホームシステムの構築が進められており、ＴＤＭＡ方式のコードレス電話機をベースにしたカメラ付き構内ドアホンシステムの開発が行われている。このコードレス電話機をベースにした構内ドアホンシステムは、親機（以下、ドアホン親機とする）とカメラ付きドアホンが有線で接続され、ドアホン親機とコードレス電話子機（以下、子機とする）が無線で接続され、来客がカメラ付きドアホンのボタンを押すと、その情報がドアホン親機を介して子機へ伝えられるとともに、カメラにより来客を撮影した画像が子機へ送信され、子機のＬＣＤに表示される。
【００２５】
ＴＤＭＡ方式のコードレス電話機では、子機の電源が入って待ち受け状態になった場合、また待ち受け中に一度の受信状態が劣化し、新たに親機からの制御信号の受信を開始する場合には、はじめに受信周波数を親機の制御信号の送信周波数に合わせて連続受信を行なう。そして、親機の制御信号を捕捉すると、制御信号の送信周期に応じて一定時間の受信動作をして受信動作を停止し、ある程度の時間が経過した後に再度受信動作を行なう間欠受信動作に切り換わり、電池の消耗を防いでいる。
【００２６】
図５は本発明を、カメラ付きドアホンと有線接続されたドアホン親機と、複数台の子機（図５では２つの子機のみ記載）から成る構内ドアホンシステムに適用した状態の動作を示すシーケンス図であり、待ち受け状態では子機Ａ（第２の通信機２００），子機Ｂ（第２の通信機２１０）ともに間欠受信状態である。また他の子機がある場合、それらの子機（図示せず）も待ち受け状態では間欠受信状態となっている。
【００２７】
ドアホン親機は一定間隔で制御信号を送信し、子機Ａおよび子機Ｂは、それぞれ定められたタイミングで間欠的に受信動作を行う。子機Ａ，Ｂは間欠受信状態では、ドアホン親機からのデータパケットのＡフィールド期間（制御データ領域）のみ受信して受信動作を停止し、短時間の受信動作で済ませる。
【００２８】
来客がカメラ付きドアホンのボタンを押すと（Ｔ１）、その情報が撮影した画像とともにドアホン親機へ伝えられ、その直後からドアホン親機が発する制御信号には「画像有り」を示す情報および１対Ｎ通信を通知する情報が挿入される。以降、ドアホン親機は「画像有り」を示す情報とともに、データパケットに空のＢフィールドを付けて送信する。
【００２９】
子機Ａはある受信タイミングＴ２において、「画像有り」を示す情報を受信すると、その後は連続受信動作に切り換わり、ドアホン親機からのデータパケットのＢフィールド期間の受信を行う。以降、子機ＡはＢフィールド期間のデータを連続的に受信していく。他の子機の中の子機Ｂが受信タイミングＴ３において、「画像有り」を示す情報を受信すると、子機Ｂもその後は連続受信動作に切り換わり、ドアホン親機からのデータパケットのＢフィールド期間の受信を行う。
【００３０】
その後、ドアホン親機が「画像有り」の情報を送り始めてから全子機にて「画像有り」を示す情報が受信されたであろうと予測される時間が経過した時（Ｔ４）より、ドアホン親機はデータパケットのＢフィールドに画像データを乗せて送り始める。それを受信可能な全ての子機（子機Ａ，Ｂ，他）は、同時に連続してドアホン親機からの画像データを受信できる。このようにして、カメラにより来客を撮影した画像が子機により受信され、子機の表示部に表示される。
【００３１】
以上のように、本発明によれば、第２の通信機（子機Ａ，Ｂ，他）は第１の通信機（ドアホン親機）が１対Ｎ通信を行う場合のみ、第１の通信機が送信している無線電波中のユ
ーザデータ領域（Ｂフィールド）を受信するよう制御することができ、第２の通信機の待機中の消費電力を抑えることができる。これによって、音声やデータの１対Ｎ通信が提供可能で、かつ第２の通信機が１対Ｎ通信を行わないシステムと同等の待ち受け時間を持つ無線通信システムを提供することができる。
【産業上の利用可能性】
【００３２】
本発明は、無線通信を用い、画像等の通信データを複数の第２の通信機に表示する無線通信システムに関するものであり、１対Ｎ通信が可能で、かつ第２の通信機が１対Ｎ通信を行わないシステムと同等の待ち受け時間を持つ無線通信システムを提供できるという利点がある。
【図面の簡単な説明】
【００３３】
【図１】本発明の実施の形態１の無線通信システムの構成図
【図２】本発明の実施の形態１における無線電波のフレームフォーマット図
【図３】本発明の実施の形態１での１対Ｎデータ通信開始時のシーケンス図
【図４】本発明の実施の形態１での１対Ｎデータ通信停止時のシーケンス図
【図５】本発明を構内ドアホンシステムに適用した状態の動作を示すシーケンス図
【符号の説明】
【００３４】
１００    第１の通信機
１０１    アンテナ
１０２    無線部
１０３    フレーム処理部
１０４    制御データ送信部
１０５    ユーザデータ送信部
１０６    アプリケーション部
２００    第２の通信機
２０１    アンテナ
２０２    無線部
２０３    フレーム処理部
２０４    制御データ受信部
２０５    ユーザデータ受信部
２０６    アプリケーション部
２１０    第２の通信機
３００    同期信号
３０１    制御データ領域
３０２    ユーザデータ領域
３０３    ヘッダ
３０４    Ｃ−ＣＲＣ
３０５    Ｕ−ＣＲＣ
【図１】
2006121279.tif 000003
【図２】
2006121279.tif 000004
【図３】
2006121279.tif 000005
【図４】
2006121279.tif 000006
【図５】
2006121279.tif 000007